(57)【特許請求の範囲】
【請求項１】
横向きに装着される輸液用チューブ内の輸液を送出するための送液部と、
前記輸液用チューブが装着された送液部を開閉可能に覆うドア部と、
前記ドア部の開閉に関わらず固定して配され、前記送液部の状態を表示する表示部と、を備える輸液ポンプであって、
前記送液部の端部には、前記横向きに装着された輸液用チューブの装着方向を上向き及び／または下向きに変えるための溝部が形成されており、
前記表示部は、前記ドア部が開状態となった場合であって、前記輸液用チューブが前記送液部に装着されていない場合において、
前記輸液用チューブの装着方向を上向きに変えるための溝部が形成された前記送液部の第１の端部側から、該第１の端部とは反対側に位置し前記輸液用チューブの装着方向を上向きに変えるための溝部が形成されていない第２の端部側に向かう方向、及び／または、前記輸液用チューブの装着方向を下向きに変えるための溝部が形成されていない前記送液部の第３の端部側から、該第３の端部とは反対側に位置し前記輸液用チューブの装着方向を下向きに変えるための溝部が形成された第４の端部側に向かう方向に、前記輸液を送出する方向を示す識別子を表示することを特徴とする輸液ポンプ。
【請求項２】
前記表示部は、前記ドア部が閉状態となった場合に、前記輸液を送出する方向を示す識別子の表示を終了することを特徴とする請求項１に記載の輸液ポンプ。
【発明の詳細な説明】
【技術分野】
【０００１】
本発明は、輸液ポンプに関するものである。
【背景技術】
【０００２】
従来より、輸液バッグが接続された輸液用チューブを複数のフィンガにより順次押圧することで輸液を行う蠕動式輸液ポンプ（以下、単に輸液ポンプと称す）が知られている。
【０００３】
一般に、輸液ポンプは、各種操作部及び表示部が配された開閉可能なドア部と、輸液用チューブを順次押圧するためのフィンガが送液方向に複数配列された本体部とから構成されており、ドア部を開いた状態で、輸液用チューブを本体部に装着し、ドア部を閉じることで、輸液用チューブが輸液ポンプにセットされる構成となっている（例えば、下記特許文献１参照）。
【０００４】
これに対して、本願出願人は、各種操作部及び表示部と、ドア部とを本体部に対して別々に配することで、ドア部の大きさに制約されることなく表示部全体の大きさを大きくさせるとともに、輸液用チューブを横向きに装着する構成とすることで、幅広な表示部を実現する輸液ポンプを検討している。
【先行技術文献】
【特許文献】
【０００５】
【特許文献１】特開２００２−５８７３８号公報
【発明の概要】
【発明が解決しようとする課題】
【０００６】
しかしながら、輸液用チューブを横向きに装着する構成とすると、ユーザによっては、本来の送液方向と反対方向に輸液用チューブを装着してしまうことが考えられる。つまり、従来の輸液ポンプのように、輸液用チューブを縦向きに装着する構成の場合には、ユーザは直感的に送液方向を判断することができるが、横向きに装着する構成とすると、送液方向が直感的に判断しにくくなり、反対方向に輸液用チューブを装着してしまうことが考えられる。
【０００７】
このため、上述のような輸液ポンプを実現するにあたっては、輸液用チューブの装着方向をユーザが間違えることなく、装着できるようにしておくことが望ましい。
【０００８】
本発明は上記課題に鑑みてなされたものであり、輸液用チューブの装着ミスを低減する輸液ポンプを提供することを目的とする。
【課題を解決するための手段】
【０００９】
上記の目的を達成するために、本発明に係る輸液用チューブは以下のような構成を備える。即ち、
横向きに装着される輸液用チューブ内の輸液を送出するための送液部と、
前記輸液用チューブが装着された送液部を開閉可能に覆うドア部と、
前記ドア部の開閉に関わらず固定して配され、前記送液部の状態を表示する表示部と、を備える輸液ポンプであって、
前記送液部の端部には、前記横向きに装着された輸液用チューブの装着方向を上向き及び／または下向きに変えるための溝部が形成されており、
前記表示部は、前記ドア部が開状態となった場合であって、前記輸液用チューブが前記送液部に装着されていない場合において、
前記輸液用チューブの装着方向を上向きに変えるための溝部が形成された前記送液部の第１の端部側から、該第１の端部とは反対側に位置し前記輸液用チューブの装着方向を上向きに変えるための溝部が形成されていない第２の端部側に向かう方向、及び／または、前記装着方向を下向きに変えるための溝部が形成されていない前記送液部の第３の端部側から、該第３の端部とは反対側に位置し前記輸液用チューブの装着方向を下向きに変えるための溝部が形成された第４の端部側に向かう方向に、前記輸液を送出する方向を示す識別子を表示することを特徴とする。
【発明の効果】
【００１０】
本発明によれば、輸液用チューブの装着ミスを低減する輸液ポンプを提供することが可能となる。
【図面の簡単な説明】
【００１１】
【図１】本発明の一実施形態に係る輸液ポンプ１００の外観構成の一例を示す図である。
【図２】輸液ポンプ１００のドア部を開いた状態を示す図である。
【図３】輸液ポンプ１００の輸液用チューブ装着時の表示処理の流れを示すフローチャートである。
【図４】図３に示すフローチャートを実行する輸液ポンプ１００の実施例を示す図である。
【図５】図３に示すフローチャートを実行する輸液ポンプ１００の実施例を示す図である。
【図６】図３に示すフローチャートを実行する輸液ポンプ１００の実施例を示す図である。
【発明を実施するための形態】
【００１２】
以下、本発明の各実施形態について図面を参照しながら説明する。
【００１３】
［第１の実施形態］
１．輸液ポンプの外観構成
図１は、本発明の一実施形態に係る輸液ポンプ１００の外観構成の一例を示す図である。
【００１４】
図１に示すように、輸液ポンプ１００は、輸液用チューブを横向きに装着可能な送液部１１０を覆うドア部１２０と、送液部１１０及びドア部１２０の上方に配されたユーザインタフェース部１３０とを備える。
【００１５】
更に、送液部１１０の端部及びユーザインタフェース部１３０の端部には、送液部１１０に横向きに装着された輸液用チューブを上方へと案内する溝部を備える固定部１４０を備える。以下、各部について詳説する（なお、送液部１１０の詳細は後述する）。
【００１６】
ドア部１２０は、連結部１２１において送液部１１０と連結されており、矢印１２２方向に開閉可能に構成されている。
【００１７】
ユーザインタフェース部１３０は、操作部１３０Ａと表示部１３０Ｂとを備える。操作部１３０Ａには、送液部１１０において送液を行う際に用いられる各種設定値を入力したり、送液の開始／終了等を指示するための操作スイッチや、輸液ポンプ１００の電源のＯＮ／ＯＦＦを指示するための電源スイッチ等が配されている。
【００１８】
また、表示部１３０Ｂは、操作部１３０Ａより入力された各種設定値を表示したり、送液部１１０の送液状態を表示したりする。
【００１９】
本実施形態に係る輸液ポンプ１００は、ユーザインタフェース部１３０が、ドア部１２０とは独立して配されているため、ドア部１２０の開閉状態に関わらず、ユーザは、表示部１３０Ｂを視認したり、操作部１３０Ａを介して各種操作を行ったりすることができる。
【００２０】
固定部１４０は、輸液用チューブが送液部１１０に横向きに装着され、ドア部１２０を閉じた状態で、送液部１１０から延出される輸液用チューブを保持する溝部１４１を備える。溝部１４１は、送液部１１０から横方向に延出された輸液用チューブを上向きに曲げるための湾曲溝部１４２と、湾曲溝部１４２において上向きに曲げられた輸液用チューブを、送液部１１０の端部及びユーザインタフェース部１３０の端部に平行に上方へと案内する直線溝部１４３とを備える。
【００２１】
このように、送液部１１０の端部に湾曲溝部１４２を配する構成とすることで、輸液用チューブを装着するユーザは、上向きに曲げられた側が、送液方向の上流側にあたることを直感的に認識することができる。
【００２２】
つまり、従来の輸液ポンプの場合、縦向きに輸液用チューブを装着する構成となっていたため、送液方向を直感的に把握できたのに対して、本実施形態に係る輸液ポンプ１００の場合、横向きに輸液用チューブを装着する構成としているため、送液方向が直感的に把握しにくくなっていたところ、湾曲溝部１４２を配する構成とすることで、送液方向を直感的に把握しやすくすることが可能となった。
【００２３】
２．送液部の構成
次に、輸液ポンプ１００の送液部１１０の構成について説明する。図２は、ドア部１２０が開状態である輸液ポンプ１００の外観構成を示す図である。図２のドア部１２０において、２０１はドアベースであり、ヒンジ部２０２を介して送液部１１０の本体ベース２１１に回動可能に接続されている。これにより、ドア部１２０が送液部１１０に対して開閉自在となっている。
【００２４】
２０３はバッファプレート機構であり、ドア部１２０の閉状態で、後述するフィンガによって輸液用チューブが押圧された場合に、該輸液用チューブの背面を支持する。２０４は閉塞押え板であり、ドア部１２０の閉状態で、後述する閉塞センサとの間で輸液用チューブを挟持する。
【００２５】
図２の送液部１１０において、２１２はセンサ溝部であり、該センサ溝部２１２を形成する側壁部には、輸液用チューブ内の気泡を検出する気泡検出センサ（不図示）が配されている。
【００２６】
２１３はポンプ機構であり、輸液用チューブを順次押圧するフィンガ２１４−１〜２１４−５が送液方向に複数配列されている。
【００２７】
２１５は閉塞センサであり、永久磁石と、該永久磁石の移動量をアナログ的に検出するためのピックアップとから構成されている。閉塞センサ２１５では、輸液用チューブの閉塞状態に伴う内圧変化に応じて移動した永久磁石の移動量を検出することで、閉塞状態を検出している。
【００２８】
２１６はチューブクランプ保持部であり、輸液用チューブに取り付けられたクランプを保持するとともに、ドア部１２０が開状態となった場合に、当該クランプに対して、輸液用チューブを一時的に圧閉するための押圧力を付加する。
【００２９】
なお、チューブクランプ保持部２１６は、輸液用チューブに取り付けられたクランプを保持したことを検知可能な構成となっており、これにより輸液ポンプ１００では、輸液用チューブが装着されたか否かを判定している。
【００３０】
２１７は解除レバーであり、当該解除レバー２１７が操作されることで、チューブクランプ保持部２１６によるクランプに対する押圧力の付加が解除（つまり、クランプによる輸液用チューブの圧閉が解除）される。
【００３１】
２１８は規定部であり、輸液用チューブが送液部１１０に固定された際に、輸液用チューブの縦方向の位置を規定する。
２１９、２２０は、マグネット等の吸着部及び被吸着部であり、相互に吸着することで、ドア部１２０の閉状態を維持する。なお、吸着部２１９及び被吸着部２２０は相互に吸着しているか否かを検知可能な構成となっており、これにより輸液ポンプ１００では、ドア部１２０の開閉状態を判定している。
【００３２】
３．輸液用チューブ装着時の表示部における表示
次に、輸液用チューブ装着時の表示部１３０Ｂにおける表示処理について説明する。上述したように、本実施形態に係る輸液ポンプ１００は、ユーザインタフェース部１３０が、ドア部１２０とは独立して配されているため、ドア部１２０の開閉状態に関わらず、ユーザは、表示部１３０Ｂを視認することができる。このため、本実施形態に係る輸液ポンプ１００では、電源が投入された後であって、輸液用チューブを送液部１１０に装着しドア部１２０を閉状態にするまでの間、輸液用チューブの装着方向を示す識別子を表示し、ユーザが輸液用チューブの装着方向を間違えることがないように、ユーザに注意を喚起している。
【００３３】
図３は、輸液用チューブの装着方向を示す識別子を表示するためのフローチャートであって、輸液ポンプ１００の電源投入後に開始される。
【００３４】
ステップＳ３０１では、ドア部１２０が開状態になったか否かを判定する。ステップＳ３０１においてドア部１２０が開状態になっていないと判定された場合には、開状態になるまで待機する。
【００３５】
ステップＳ３０１においてドア部１２０が開状態になったと判定された場合には、ステップＳ３０２に進み、輸液用チューブが送液部１１０に装着されているか否かを判定する。
【００３６】
ステップＳ３０２において、輸液用チューブが送液部１１０に装着されていると判定された場合には、ステップＳ３０１に戻る。一方、ステップＳ３０２において輸液用チューブが送液部１１０に装着されていないと判定された場合には、ステップＳ３０３に進み、表示部１３０Ｂに送液方向（輸液を送出する方向）を示す識別子を表示する。
【００３７】
本実施形態に係る輸液ポンプ１００では、送液部１１０から横方向に延出された輸液用チューブを上向きに曲げる湾曲溝部１４２が送液部１１０の端部に配されているため、当該湾曲溝部１４２が配された側が、送液方向の上流側となる。反対に、送液部１１０の端部のうち、当該湾曲溝部１４２が配されていない側（反対側）が、送液方向の下流側となる。したがって、送液方向を示す識別子として、湾曲溝部１４２が配された端部側から、湾曲溝部１４２が配されていない端部側へと向かう矢印が、表示部１３０Ｂに表示される。
【００３８】
ステップＳ３０４では、ドア部１２０が閉状態になったか否かを判定する。ステップＳ３０４において、ドア部１２０が閉状態になっていないと判定された場合には、閉状態になるまで待機する。一方、ステップＳ３０４において、ドア部１２０が閉状態になったと判定された場合には、ステップＳ３０５に進み、送液方向を示す識別子の表示を終了する。ステップＳ３０５において、送液方向を示す識別子の表示を終了した後は、ステップＳ３０１に戻り、輸液ポンプ１００の電源が遮断されるまで上記処理を繰り返す。
【００３９】
このように、本実施形態に係る輸液ポンプ１００では、輸液用チューブが装着されていない状態でドア部１２０が開状態となった場合には、送液方向を示す識別子を表示部１３０Ｂに表示し、ユーザに送液方向を報知することで、輸液用チューブの装着ミスを低減させることとしている。
【００４０】
４．実施例
次に、図３に示すフローチャートを実行する輸液ポンプ１００の実施例について図４〜図６を用いて説明する。図４は、輸液用チューブが装着されていない状態で輸液ポンプ１００のドア部１２０が開状態となった様子を示す図である。
【００４１】
図４に示すように、ドア部１２０が開状態にあり、輸液用チューブが装着されていない状態では、表示部１３０Ｂに送液方向を示す識別子４０１が表示されるとともに、ユーザに注意を喚起するためのメッセージ（“送液方向が矢印の向きになるように輸液用チューブを装着して下さい”）４０２が表示される。
【００４２】
なお、輸液ポンプ１００では、送液部１１０から横方向に延出された輸液用チューブを上向きに曲げる湾曲溝部１４２が、紙面に向かって、送液部１１０の右側端部に配されているため、紙面右側が送液方向の上流側となる。反対に、送液部１１０の端部のうち、当該湾曲溝部１４２が配されていない紙面左側（反対側）が、送液方向の下流側となる。したがって、送液方向を示す識別子４０１は、紙面右側から紙面左側に向かう矢印として表示される。
【００４３】
図５は、輸液ポンプ１００のドア部１２０が開状態で、輸液用チューブが装着された様子を示す図である。輸液用チューブが装着された場合であっても、ドア部１２０が開状態にある間は、送液方向を示す識別子４０１及びユーザに注意を喚起するためのメッセージ４０２の表示が継続される。
【００４４】
一方、図６は、輸液用チューブが装着された後に輸液ポンプ１００のドア部１２０が閉状態となった様子を示す図である。ドア部１２０が閉状態になると、表示部１３０Ｂにおける送液方向を示す識別子４０１及びユーザに注意を喚起するためのメッセージ４０２の表示は終了する。
【００４５】
以上の説明から明らかなように、本実施形態に係る輸液ポンプ１００では、送液部１１０から横方向に延出された輸液用チューブを上向きに曲げる湾曲溝部１４２を送液部１１０の端部に配する構成とした。
【００４６】
これにより、輸液用チューブを装着するユーザは、上向きに曲げられた側が、送液方向の上流側にあたることを直感的に認識することが可能となった。
【００４７】
更に、本実施形態に係る輸液ポンプ１００では、輸液用チューブが装着されていない状態でドア部１２０が開状態となった場合に、湾曲溝部１４２が配された端部側から湾曲溝部１４２が配されていない端部側へ向かう矢印を表示部１３０Ｂに表示させることで、送液方向を示す構成とした。
【００４８】
これにより、輸液用チューブを装着する際に、ユーザは、送液方向の上流側／下流側を表示部１３０Ｂの表示に基づいて判断することが可能となった。
【００４９】
この結果、ユーザは輸液用チューブの装着方向を間違えることなく、装着することが可能となり、装着ミスを低減することが可能となった。
【００５０】
［第２の実施形態］
上記第１の実施形態では、送液部１１０から横方向に延出された輸液用チューブを上向きに曲げる湾曲溝部を送液部１１０の端部（紙面に向かって右側の端部）に配する構成としたが、本発明はこれに限定されない。
【００５１】
例えば、送液部１１０から横方向に延出された輸液用チューブを下向きに曲げる湾曲溝部を送液部１１０の端部（例えば、紙面に向かって左側）に配する構成としてもよい。
【００５２】
この場合、輸液用チューブを下向きに曲げる湾曲溝部が配された側が、送液方向の下流側となる。反対に、送液部１１０の端部のうち、当該湾曲溝部が配されていない側（反対側）が、送液方向の上流側となる。したがって、表示部１３０Ｂには、送液方向を示す識別子として、湾曲溝部が配された端部側に向かって、湾曲溝部が配されていない端部側から向かう矢印が表示されることとなる。
【００５３】
［第３の実施形態］
上記第１及び第２の実施形態では、溝部が湾曲溝部と直線溝部とにより構成されていることとしたが、本発明はこれに限定されず、湾曲溝部のみを有する構成であってもよい。
【００５４】
また、上記第１及び第２の実施形態では、湾曲溝部を送液部１１０の一方の端部に配する構成としたが、本発明はこれに限定されず、例えば、一方の端部に上向きに曲げる湾曲溝部を配し、他方の端部に下向きに曲げる湾曲溝部を配する構成としてもよい。
【符号の説明】
【００５５】
１００：輸液ポンプ、１１０：送液部、１２０：ドア部、１３０：ユーザインタフェース部、１３０Ａ：操作部、１３０Ｂ：表示部、１４０：固定部、１４１：溝部、１４２：湾曲溝部、１４３：直線溝部、４０１：識別子、４０２：メッセージ
【図１】
0005536567.tif 000002
【図２】
0005536567.tif 000003
【図３】
0005536567.tif 000004
【図４】
0005536567.tif 000005
【図５】
0005536567.tif 000006
【図６】
0005536567.tif 000007